(57)【特許請求の範囲】
【請求項１】
かみそり組立体のための交換用カートリッジであって、
流動性シェービング補助剤を含むように適合されたリザーバと、
通常のシェービング動作中、ユーザの皮膚表面上に前記流動性シェービング補助剤を置くように適合された分配ヘッドと、
シールドが入りされたときに、前記リザーバの１つ又はそれ以上のチャネルから前記分配ヘッドの１つ又はそれ以上のチャネルまで、前記シェービング補助剤が流れるのを防止するように適合された、該リザーバと該分配ヘッドとの間に配置された取り外し可能なシールドと、
を含み、
前記シールドの取り外しにより、前記リザーバの前記１つ又はそれ以上のチャネルと前記分配ヘッドの前記１つ又はそれ以上のチャネルとの間の流体連通が可能になることを特徴とする交換用カートリッジ。
【請求項２】
前記シールドの取り外しは、一回限りのイベントであることを特徴とする、請求項１に記載の交換用カートリッジ。
【請求項３】
前記シールドは、熱可塑性テープを含むことを特徴とする、請求項１又は請求項２に記載の交換用カートリッジ。
【請求項４】
前記シールドは、開口部を有するスロット内に配置され、該シールドの把持可能部分は、そこから外方に延びることを特徴とする、請求項１から請求項３までのいずれかに記載の交換用カートリッジ。
【請求項５】
前記シールドはプラグと一体形成され、脆弱部分が、該シールドと前記プラグとの間にあることを特徴とする、請求項１から請求項４までのいずれかに記載の交換用カートリッジ。
【請求項６】
前記脆弱部分は一連の穿孔部を含むことを特徴とする、請求項５に記載の交換用カートリッジ。
【請求項７】
前記シールドの前記把持可能部分に所定の除去力が加えられると、該シールドは、前記脆弱部分の近くで前記プラグから分離し、かつ、前記交換用カートリッジから取り外され、該プラグは該交換用カートリッジ内に保持されることを特徴とする、請求項５に記載の交換用カートリッジ。
【請求項８】
前記プラグは、前記開口部に隣接する前記スロット内に保持されることを特徴とする、請求項７に記載の交換用カートリッジ。
【請求項９】
前記交換用カートリッジは、前記リザーバ及び前記分配ヘッドの一方を、該リザーバ及び該分配ヘッドの他方に向けて押し付けるように適合されたばねをさらに含むことを特徴とする、前記請求項のいずれかに記載の交換用カートリッジ。
【請求項１０】
前記ばねは、前記リザーバ及び前記分配ヘッドの一方と一体形成されることを特徴とする、請求項９に記載の交換用カートリッジ。
【請求項１１】
前記交換用カートリッジは、前記分配ヘッドに隣接して配置されたかみそりカートリッジをさらに含むことを特徴とする、前記請求項のいずれかに記載の交換用カートリッジ。
【請求項１２】
前記分配ヘッドは分配ヘッド・ハウジングを含み、前記かみそりカートリッジはカートリッジ・ハウジングを含み、前記分配ヘッド・ハウジングは、前記カートリッジ・ハウジングと一体形成されることを特徴とする、請求項１１に記載の交換用カートリッジ。
【請求項１３】
前記流動性シェービング補助剤は前記リザーバ内に配置されることを特徴とする、前記請求項のいずれかに記載の交換用カートリッジ。
【発明の詳細な説明】
【技術分野】
【０００１】
本開示は、一般に、湿式シェービング装置に関し、より具体的には、流動性シェービング補助剤のリザーバと流体連通状態の分配ヘッドと、それらの間の取り外し可能なシールドとを有する安全かみそりに関する。
（関連出願の相互参照）
本出願は、２００８年１０月２３日に出願された米国特許仮出願番号第６１／１０７，７５３号に基づく利益を主張するものであり、その全体を引用により本明細書に組み入れる。
【背景技術】
【０００２】
ウェット・シェービング用かみそり又は安全かみそりとして一般に知られる現代の多くのシェービング器具は、再使用可能なハンドルに解放可能に接続された使い捨てかみそりカートリッジを含む。他の現代の安全かみそりは、恒久的に結合され、単一ユニットとして廃棄されることが意図されるハンドル及びかみそりカートリッジを有する。カートリッジは、刃先が内部に配置された少なくとも１つのかみそり刃を有するハウジングを含む。
【０００３】
シェービング中、シェービングフォーム、シェービングクリーム、又は他の潤滑流体等の流動性シェービング補助剤、或いは、皮膚を洗浄又は他の方法で手入れするスキンケア剤を皮膚に与えるための分配システムを有する安全かみそりを提供する提案が多くなされている。補助剤は、使える状態でリザーバ内に貯蔵される。流動性シェービング補助剤を、通例のシェービング製剤と置き換えてもよく、又は、通例のシェービング製剤に加えて用いてもよい。リザーバは、通常のシェービング動作中に、シェービング補助剤をユーザの皮膚表面に与えるように、分配ヘッドと流体連通している。分配ヘッドは、シェービング補助剤の流れを調整するための弁構成を含むことができ、分配ヘッドは、かみそりカートリッジと一体であってもよく、又は、これに隣接して配置されてもよい。例えば、Ａｌｔｈａｕｓ他に付与された特許文献１に開示されるような、毛細管ウィック、及び、例えば、Ｂｒｅｓｓｌｅｒ他に付与された特許文献２、Ｆｒａｎｚｉｎｉ他に付与された特許文献３、及び特許文献４のそれぞれに開示される、刃先を部分的に又は完全に取り囲むたくさんの開口部、弁又はローラを用いるものを含む、幾つかの異なるタイプの分配ヘッドが提案されている。
【先行技術文献】
【特許文献】
【０００４】
【特許文献１】米国特許第５，１３４，７７５号
【特許文献２】米国特許第７，１３７，２０３号
【特許文献３】米国特許第７，０４３，８４１号
【特許文献４】米国特許出願公開第２００５／０１３８８１４号
【特許文献５】米国特許第７，３０６，３９２号
【発明の概要】
【発明が解決しようとする課題】
【０００５】
例えば、製造業者と小売店又はエンドユーザとの間でのこうしたかみそりの輸送中、気圧及び／又は周囲温度の変化といった、特定の気象条件の変化が起こり得る。こうした変化が、例えば熱膨張又は熱収縮に起因する粘度の変化又は容積の変化といった、内部に貯蔵されたシェービング補助剤の特性を変化させることがある。さらに、熱膨張に起因する同様の寸法の変化の差が、もたらされる場合には種々の弁構成の有効性に影響を与えることがある。こうした変化の１つの影響は、シェービング補助剤が小出しに垂れること又は他の方法でにじみ出る場合があることであり、このことは見た目を悪くし、潜在的な購入者にとってかみそりが望ましくないものになりかねない。Ｍｉｓｌｏｖｅに付与された特許文献５において、シェービングヘッドは、多量のシェービングソープで満たされ、使用前に取り外し可能なテープで密閉される。しかしながら、例えば、前述の特許文献１又は特許文献３、或いは特許文献４の幾つかの分配ヘッドは、毛細管ウィックの性質又は突出する弁又はローラの存在のために、分配ヘッドの皮膚接触面が一般的に平坦ではない。取り外し可能なテープをこうした平坦ではない表面に適切に接着することは、製造上の課題である。さらに、シェービング補助剤と取り外し可能なテープの接着コーティングとの間のどのような反応も、接着性の低下をもたらし得る。
【課題を解決するための手段】
【０００６】
本開示は、流動性シェービング補助剤のための供給システムを用いる従来技術の安全かみそりの制限を排除するか、又は少なくとも実質的に軽減することが目的である。こうしたかみそり組立体のための交換用カートリッジは、流動性シェービング補助剤を含有するように適合されたリザーバと、通常のシェービング動作中、ユーザの皮膚表面上に流動性シェービング補助剤を置くように適合された分配ヘッドと、シールドが取り外されるまで、リザーバからのシェービング補助剤の流れを防ぐように適合された、リザーバと分配ヘッドとの間に配置された取り外し可能なシールドとを含む。シールドが取り外されると、リザーバの１つ又はそれ以上のチャネルと分配ヘッドの１つ又はそれ以上のチャネルとの間に流体連通が与えられ、シェービング補助剤を上述のように置くことができる。シールドの一部は、リザーバと分配ヘッドとの間のスロット又は隙間における開口部から外方に延び、シールドを取り外すためにユーザが把持することができる領域を与える。シールドの取り外しは、一回限りのイベントである。シールドは、プラグと一体形成することができ、該シールと該プラグとの間に、例えばノッチ又は一連の穿孔部などの脆弱部分を含むことができる。ユーザにより所定の力が加えられることにより、脆弱部分の領域において、シールドがプラグから分離することが可能になる。分離後、プラグは交換用カートリッジ内に保持され、スロットの開口部を実質的に閉鎖し、望ましくないことにシェービング補助剤が開口部から流出するのを防ぐことができる。
【０００７】
他の実施形態において、交換用カートリッジは、１つ又は複数のばねを含み、リザーバと分配ヘッドとの間に引力を与えることができる。１つ又は複数のばねは、例えば、巻きばね、或いは、好ましくはリザーバ又は分配ヘッドのいずれかと一体形成される片持ち梁等の板ばねとすることができる。上述のように、リザーバと分配ヘッドとの間に配置されたシールドは、シールドが取り外されるまで、シェービング補助剤がリザーバから流れるのを防ぐ。シールドが取り外されると、リザーバと分配ヘッドとの間の引力により、リザーバと分配ヘッドとの間の隙間が閉鎖されて、上述のように流体連通を与え、望ましくないことにシェービング補助剤が隙間の端部から流れるのを防ぐ。
【０００８】
シールドは、ダイ打抜きされた二軸延伸ポリエチレンテレフタレート（ｂｏＰＥＴ）のポリエステルフィルム又は他の適切なフィルムであることが好ましく、又は、他の適切な熱可塑性材料から射出成形されても、又は押し出されてもよい。
【０００９】
交換用カートリッジは、分配ヘッドに隣接して配置されたかみそりカートリッジを含むことができる。分配ヘッド・ハウジングのハウジングは、かみそりカートリッジのハウジングと一体形成することができる。
【００１０】
本開示の実施形態は、以下の利点のうちの１つ又はそれ以上を含むことができる。このかみそりは、気象条件の変化の影響を大きく受けにくく、潜在的な購入者に対する魅力を保持する。シールドは、ユーザに対して「鮮度」を表示するものである。
【００１１】
本開示の上述の特徴及び利点は、添付図面と共に以下の詳細な説明を参照することによって、より完全に理解されるであろう。
【図面の簡単な説明】
【００１２】
【図１】本開示の安全かみそりの第１の実施形態の斜視図である。
【図２Ａ】本開示の交換用カートリッジの実施形態の斜視図である。
【図２Ｂ】本開示の交換用カートリッジの別の実施形態の斜視図である。
【図３】本開示の交換用カートリッジのさらに別の実施形態の斜視図である。
【図４】図２の線４−４上で取られた誇張された概略断面図である。
【図５Ａ】本開示のシールドの実施形態の斜視図である。
【図５Ｂ】本開示のシールドの別の実施形態の斜視図である。
【図５Ｃ】本開示のシールドのさらに別の実施形態の斜視図である。
【図６Ａ】第１の状態における図２の線６−６上で取られた誇張された概略断面図である。
【図６Ｂ】第２の状態における図２の線６−６上で取られた誇張された概略断面図である。
【図７Ａ】第１の状態における図２の線７−７上で取られた誇張された概略断面図である。
【図７Ｂ】第２の状態における図２の線７−７上で取られた誇張された概略断面図である。
【図７Ｃ】異なるばね構成を有する、図７Ａ及び図７Ｂのものに対する代替的な実施形態である。
【発明を実施するための形態】
【００１３】
ここで図面、特に図１を参照すると、ハンドル１２と交換用カートリッジ１４とを含む例示的なかみそり組立体１０が示される。図１において、交換用カートリッジ１４は、単に図示の都合上、ハンドル１２から部分的に分解された状態で示される。交換用カートリッジ１４は、当技術分野において周知のものとすることができる流動性シェービング補助剤を含むように適合されたリザーバ２０と、通常のシェービング動作中、ユーザの皮膚表面上に流動性シェービング補助剤を置くように適合された分配ヘッド３０とを含む。ユーザ把持可能部分４２を有する取り外し可能なシールド４０は、リザーバと分配ヘッドとの間の界面領域２２に配置される。図示される実施形態において、分配ヘッド３０は、使用中、シェービング補助剤の流れを調整するために、複数のポート、弁又はウィック３２、或いはこれらの組み合わせを含む。これらのポート、弁又はウィックは、Ａｌｔｈａｕｓ他に付与された特許文献１、Ｂｒｅｓｓｌｅｒ他に付与された特許文献２、Ｆｒａｎｚｉｎｉ他に付与された特許文献３、及び特許文献４に開示されるものとすることができ、これらの開示の全体が本明細書に組み入れられる。ポート、弁又はウィック３２は、かみそりカートリッジ５０の刃先５２を部分的に又は完全に取り囲むように配置することができる。
【００１４】
ここで図２Ａを参照すると、一般的に前述されたような交換可能カートリッジ６０の実施形態が、かみそりカートリッジ６４に隣接して配置された分配ヘッド６２を有した状態で示される。本開示において後述されるように、リザーバ６６は分配ヘッドに接続され、シールド６８は、それらの間に配置される。
【００１５】
ここでさらに図２Ｂを参照すると、分配ヘッド７２と、分配ヘッドに接続されたリザーバ７６と、それらの間に配置されたシールド７８とを有する交換可能カートリッジ７０の別の実施形態が示される。
【００１６】
ここでさらに図３を参照すると、かみそりカートリッジ８８のハウジング８６と一体形成されたハウジング８４を備えた分配ヘッド８２を有する交換可能カートリッジ８０のさらに別の実施形態が示される。リザーバ９６は分配ヘッドに接続され、シールド９８は、それらの間に配置される。
【００１７】
ここでさらに図５Ａ、図５Ｂ及び図５Ｃを参照すると、シールド１００の例示的な実施形態が示される。図５Ｃは一体型のシールド１０４を示す。図５Ａ及び図５Ｂは、プラグ１０６と一体形成され、該プラグとの間に脆弱部分１０２を有するシールド１０４を示し、該シールド及び該プラグは、該シールドの把持可能部分１０８に所定の力が加えられたときに分離するように意図されている。図５Ａにおいては、ノッチ１１０が、シールドをプラグから分離するための裂け目の開始部位として働く、いわゆる応力集中部として設けられる。図５Ｂにおいては、一連の穿孔部１１２が、好ましくはシールドの幅にわたって延びるように設けられる。シールドは、ポリエステルフィルムから製造されることが好ましく、ＤＵＰＯＮＴ  Ｃｏｍｐａｎｙ社により提供されるＭＹＬＡＲ及びＭＥＬＩＮＥＸを含む、多数の異なる商品名の下で容易に商業的に入手可能な二軸延伸ポリエチレンテレフタレート（ｂｏＰＥＴ）から製造されることが最も好ましい。この材料は、強度、化学的安定性及びバリア特性のような幾つかの特性の好ましい組み合わせのために、好ましいものである。しかしながら、他のフィルム材料を提供することもできる。シールドは、約０．１ｍｍの厚さであることが好ましく、ダイ打抜きにより製造されることが好ましい。シールドはまた、例えば、射出成形工程又は押出工程により製造することもでき、この場合、選択された工程に適合するように、厚さ及び材料を変更することができる。
【００１８】
ここで図４を参照すると、リザーバ１２２と分配ヘッド１２４との間の界面の近くにスロット１２０を示す、図２の線４−４上で取られた誇張された概略断面図が示される。１つ又はそれ以上のチャネル１２６が、リザーバのハウジング及び分配ヘッドのハウジングの両方の中に含まれ、ユーザが、スロット１２０の開口部１３２から外方に延びるシールドの把持可能部分１３０を把持し、示される図に対してほぼ水平左方向に所定の力を加えることによって、シールド１２８が取り外されたときに、これらの間に流体連通をもたらす。この図において、構成部品間の間隙は、単に図示を明確にするために拡大して示される。実際には、間隙は、前述の所定の力を加えることによりシールドが動作されるまで、流動性シェービング補助剤がリザーバから分配ヘッドに又は開口部の外に通らないような大きさにされることが好ましい。
【００１９】
ここで図６Ａ及び図６Ｂを参照すると、リザーバ１４２と分配ヘッド１４４との間の界面の近くの領域を示す、図２の線６−６上で取られた誇張された概略断面図が示される。図６Ａにおいて、この実施形態は、好ましくは図５Ａ及び図５Ｂのタイプのものであるシールド１４８が、リザーバと分配ヘッドとの間にＵ形状に配置されていること、及び、プラグ１４６が、好ましくは領域１４７において一方のハウジングに結合されている（例えば、適切な接着剤又は超音波溶接、或いは機械的取り付けにより）ことを除いては、図４に示されるものとほぼ同様である。図６Ｂは、ほぼ１６０の方向への所定の力がシールド１４８の把持可能部分１５０に加えられた結果を示す。シールド１４８は、プラグ１４６から分離され、プラグ１４６は、スロットの開口部を実質的にブロックし、シェービング補助剤が開口部から流出するのを防ぐ。リザーバのチャネルと分配ヘッドのチャネルとの間の流体連通が可能になる。
【００２０】
ここで図７Ａ及び図７Ｂを参照すると、リザーバ１７２と分配ヘッド１７４との間の界面の近くの領域を示す、図２の線７−７上で取られた誇張された概略断面図が示される。例えば通常の巻きばねなどの１つ又はそれ以上のばね１７６が、リザーバと分配ヘッドとの間に設けられ、それらの間に引力を与える。図７Ａにおいては、好ましくは図５Ｃのタイプのものであるシールド１７８が、リザーバと分配ヘッドとの間の隙間１８２内に設けられる。図７Ｂは、前述のような所定の力が、シールド１７８の把持可能部分１８０に加えられた結果を示す。シールドは取り外され、リザーバと分配ヘッドとの間の引力により、以前はシールドが占めていた隙間が閉鎖し、リザーバのチャネルと分配ヘッドのチャネルとの間の流体連通を可能にし、シェービング補助剤が他の方向に流れるのを防ぐ。
【００２１】
図７Ｃにおいて、図７Ａ及び図７Ｂのものと類似した実施形態が示されるが、リザーバと分配ヘッドとの間の引力が、例えば、片持ち梁１９０などの一体形成されたばねにより与えられる。
【００２２】
種々の実施形態が上述されたが、これらは限定するものではなく、単なる例示として与えられたことを理解すべきである。例えば、添付の特許請求の範囲の範囲内で修正及び変更をなすことができ、いずれか１つの実施形態と関連して開示された特徴は、単独で又はそれぞれの他の実施形態の各特徴と組み合わせて用いることができる。したがって、いずれの実施形態の広さ及び範囲も、上述の例示的な実施形態のいずれかによって制限されるべきではなく、以下の特許請求の範囲及びそれらの均等物に従ってのみ定められるべきである。当業者であれば、本開示の範囲内で変更及び修正をなし得ることをさらに認識するであろう。例えば、図６ＡのＵ形状のシールドは、直線のシールドで置き換えてもよい。
【符号の説明】
【００２３】
１０：かみそり組立体
１２：ハンドル
１４：交換用カートリッジ
２０、６６、７６、９６、１２２、１４２、１７２：リザーバ
２２：界面領域
３０、６２、７２、８２、１２４、１４４、１７４：分配ヘッド
３２：ウィック
４０、６８、７８、９８、１００、１０４、１２８、１４８、１７８：シールド
４２、１０８、１３０、１５０、１８０：把持可能部分
５０、６４、８８：かみそりカートリッジ
５２：刃先
６０、７０：交換可能カートリッジ
８４、８６：ハウジング
１０２：脆弱部分
１０６、１４６：プラグ
１１０：ノッチ
１１２：穿孔部
１２０：スロット
１２６：チャネル
１３２：開口部
１４７：領域
１７６：ばね
１８２：隙間
１９０：片持ち梁
【図１】
0005438769.tif 000002
【図２Ａ】
0005438769.tif 000003
【図２Ｂ】
0005438769.tif 000004
【図３】
0005438769.tif 000005
【図４】
0005438769.tif 000006
【図５Ａ】
0005438769.tif 000007
【図５Ｂ】
0005438769.tif 000008
【図５Ｃ】
0005438769.tif 000009
【図６Ａ】
0005438769.tif 000010
【図６Ｂ】
0005438769.tif 000011
【図７Ａ】
0005438769.tif 000012
【図７Ｂ】
0005438769.tif 000013
【図７Ｃ】
0005438769.tif 000014